(57)【要約】【課題】表示画面が利用者に見やすくなるように携帯端末を保持し得る携帯端末用置台を提供する。【解決手段】携帯端末用置台１０は、携帯端末１を保持した状態で載置面Ｓ上に載置されることで、携帯端末１を据え置き型の端末として利用可能な置台である。携帯端末１のうち表示画面４が設けられる前側部２ａを保持する携帯端末用置台１０の保持部１１には、前側部２ａを載置面Ｓに近づけた携帯端末１に対してその非表示面２ｃに接触することで、表示画面４が顧客に向かうように携帯端末１を載置面Ｓに対して傾斜させる傾斜部１２が形成される。【選択図】図２
2015073201.tif 000002
【特許請求の範囲】
【請求項１】
表示画面が一側部に設けられる携帯端末を保持した状態で載置面上に載置して用いられる携帯端末用置台であって、
前記携帯端末の前記一側部を保持する一側保持部を備え、
前記一側保持部には、前記一側部を前記載置面に近づけた前記携帯端末に対して前記表示画面が設けられる面と反対側の非表示面に接触することで、前記表示画面が利用者に向かうように前記携帯端末を前記載置面に対して傾斜させる一側傾斜部が形成されることを特徴とする携帯端末用置台。
【請求項２】
前記携帯端末のうち前記表示画面から離れた他側部を保持する他側保持部を備え、
前記他側保持部には、前記他側部を前記載置面に近づけた前記携帯端末に対して前記非表示面に接触することで、前記表示画面が当該携帯端末用置台を介して前記利用者に対向して位置する他方の利用者に向かうように前記携帯端末を前記載置面に対して傾斜させる他側傾斜部が形成されることを特徴とする請求項１に記載の携帯端末用置台。
【請求項３】
前記他側傾斜部は、前記一側部が前記一側保持部により保持された前記携帯端末の前記他側部の下方に位置するように形成されることを特徴とする請求項２に記載の携帯端末用置台。
【請求項４】
表示画面が一側部に設けられる携帯端末を保持した状態で載置面上に載置して用いられる携帯端末用置台であって、
前記載置面上に載置される基台と、
前記携帯端末を保持した状態で、前記一側部が前記載置面に近づくように傾動することで前記表示画面が利用者に向かう一側傾動状態と、前記一側部が前記載置面から離れるように傾動することで前記表示画面が当該携帯端末用置台を介して前記利用者に対向して位置する他方の利用者に向かう他側傾動状態と、のいずれかに傾動可能に前記基台に支持される傾動保持部と、
を備えることを特徴とする携帯端末用置台。
【請求項５】
前記傾動保持部を前記一側傾動状態および前記他側傾動状態のいずれかに傾動させる傾動手段と、
前記携帯端末が特定の無線通信状態であるか否かを検知する検知手段と、
前記検知手段により前記携帯端末が前記特定の無線通信状態であると検知されると前記傾動保持部が前記一側傾動状態となるように前記傾動手段を駆動制御し、前記検知手段により前記携帯端末が前記特定の無線通信状態でないと検知されると前記傾動保持部が前記他側傾動状態となるように前記傾動手段を駆動制御する駆動制御手段と、
を備えることを特徴とする請求項４に記載の携帯端末用置台。
【請求項６】
前記一側部が保持された前記携帯端末の操作部の少なくとも一部を覆うカバーを備えることを特徴とする請求項１〜５のいずれか一項に記載の携帯端末用置台。
【請求項７】
前記携帯端末は、前記一側部のうち前記非表示面に情報コードからの反射光を取り込む読取口が突出するように設けられて前記情報コードを光学的に読み取る情報コードリーダとしての機能を備え、
前記一側傾斜部には、前記読取口が係合する凹部が形成されることを特徴とする請求項１〜６のいずれか一項に記載の携帯端末用置台。
【発明の詳細な説明】
【技術分野】
【０００１】
本発明は、携帯端末用置台に関するものである。
【背景技術】
【０００２】
従来、携帯端末を据え置き型の端末として利用したいという要望がある一方で、例えば、顧客と店員とが向かい合うカウンターなどで利用する場合、単に決済端末をカウンターの上に置いただけでは、携帯端末の表示画面が顧客側に見にくい場合がある。そこで、携帯端末を置台に置くことで、この携帯端末を表示画面が顧客側に向かう据え置き型の端末として利用することが考えられ、このような置台として、下記特許文献１に開示される携帯端末用置台が知られている。
【０００３】
この携帯端末用置台は、載置面上に載置される基台とこの基台に回転可能に支持される端末保持部とを備えており、端末保持部は載置面に対して傾斜する回転軸を中心として回転するように構成されている。これにより、携帯端末を保持した端末保持部を上記回転軸を中心に回転させることで、載置面に対する携帯端末の操作側の面の傾斜状態を異なる状態に切り替えている。
【先行技術文献】
【特許文献】
【０００４】
【特許文献１】特開２００８−２８３２４１号公報
【発明の概要】
【発明が解決しようとする課題】
【０００５】
しかしながら、上述のように傾斜する回転軸を中心として携帯端末を回転させる構成では、顧客側に表示画面を向けることはできても表示画面が顧客から遠ざかってしまうという問題がある。特に、ＩＣカード等を用いて決済処理を行う携帯端末では、ＩＣカード等との通信を促す情報が画面表示される表示画面の付近に通信用のアンテナ等が配置されることもあり、顧客から表示画面が遠ざかることで表示画面が見にくくなるだけでなくアンテナ等までもが遠ざかってしまい不便である。
【０００６】
本発明は、上述した課題を解決するためになされたものであり、その目的とするところは、表示画面が利用者に見やすくなるように携帯端末を保持し得る携帯端末用置台を提供することにある。
【課題を解決するための手段】
【０００７】
上記目的を達成するため、特許請求の範囲の請求項１に記載の発明は、表示画面（４）が一側部（２ａ）に設けられる携帯端末（１，１ａ）を保持した状態で載置面（Ｓ）上に載置して用いられる携帯端末用置台（１０，１０ａ〜１０ｃ）であって、前記携帯端末の前記一側部を保持する一側保持部（１１）を備え、前記一側保持部には、前記一側部を前記載置面に近づけた前記携帯端末に対して前記表示画面が設けられる面と反対側の非表示面（２ｃ）に接触することで、前記表示画面が利用者に向かうように前記携帯端末を前記載置面に対して傾斜させる一側傾斜部（１２）が形成されることを特徴とする。
【０００８】
また、特許請求の範囲の請求項４に記載の発明は、表示画面（４）が一側部（２ａ）に設けられる携帯端末（１，１ａ）を保持した状態で載置面（Ｓ）上に載置して用いられる携帯端末用置台（１０ｄ，１０ｅ）であって、前記載置面上に載置される基台（３１）と、前記携帯端末を保持した状態で、前記一側部が前記載置面に近づくように傾動することで前記表示画面が利用者に向かう一側傾動状態と、前記一側部が前記載置面から離れるように傾動することで前記表示画面が当該携帯端末用置台を介して前記利用者に対向して位置する他方の利用者に向かう他側傾動状態と、のいずれかに傾動可能に前記基台に支持される傾動保持部（３２）と、を備えることを特徴とする。
なお、上記各括弧内の符号は、後述する実施形態に記載の具体的手段との対応関係を示すものである。
【発明の効果】
【０００９】
請求項１の発明では、携帯端末のうち表示画面が設けられる一側部を保持する一側保持部には、一側部を載置面に近づけた携帯端末に対してその非表示面（表示画面が設けられる面と反対側の面）に接触することで、表示画面が利用者に向かうように携帯端末を載置面に対して傾斜させる一側傾斜部が形成される。
【００１０】
これにより、一側部が一側保持部に保持されるように携帯端末を携帯端末用置台に置くと、表示画面が利用者に向かうように携帯端末が載置面に対して傾斜するため、表示画面が利用者に見やすくなるように携帯端末を保持することができる。
【００１１】
請求項２の発明では、表示画面から離れた他側部を保持する他側保持部には、他側部を載置面に近づけた携帯端末に対してその非表示面に接触することで、表示画面が当該携帯端末用置台を介して上記利用者（一方の利用者）に対向して位置する他方の利用者に向かうように携帯端末を載置面に対して傾斜させる他側傾斜部が形成される。
【００１２】
これにより、当該携帯端末用置台を介して対向する２人の利用者がいる場合でも、携帯端末を一側保持部にて保持することで一方の利用者に対して表示画面を見やすくし、携帯端末を他側保持部にて保持することで他方の利用者に対して表示画面を見やすくすることができる。
【００１３】
請求項３の発明では、他側傾斜部は、一側部が一側保持部により保持された携帯端末の他側部の下方に位置するように形成される。このため、一側部が一側保持部により保持された携帯端末の他側部を上方から押すと、携帯端末は、他側傾斜部の近くに位置する一側傾斜部の縁部を基準に、非表示面と他側傾斜部とが近づくように傾動する。これにより、携帯端末の他側部を上方から押すだけで、一側保持部により保持された状態の携帯端末を、他側保持部に保持される状態に切り替えることができる。
【００１４】
請求項４の発明では、傾動保持部は、携帯端末を保持した状態で、一側部が載置面に近づくように傾動することで表示画面が利用者（一方の利用者）に向かう一側傾動状態と、一側部が載置面から離れるように傾動することで表示画面が当該携帯端末用置台を介して上記利用者に対向して位置する他方の利用者に向かう他側傾動状態と、のいずれかに傾動可能に基台に支持されている。
【００１５】
これにより、当該携帯端末用置台を介して対向する２人の利用者がいる場合でも、保持する携帯端末が一側傾動状態となるように傾動保持部を傾動させることで一方の利用者に対して表示画面を見やすくし、保持する携帯端末が他側傾動状態となるように傾動保持部を傾動させることで他方の利用者に対して表示画面を見やすくすることができる。
【００１６】
請求項５の発明では、検知手段により携帯端末が特定の無線通信状態であると検知されると傾動保持部が一側傾動状態となるように傾動手段が駆動制御手段により駆動制御され、検知手段により携帯端末が特定の無線通信状態でないと検知されると傾動保持部が他側傾動状態となるように傾動手段が駆動制御手段により駆動制御される。
【００１７】
これにより、携帯端末が特定の無線通信状態である場合と特定の無線通信状態でない場合とで表示画面を見る利用者が異なる場合、例えば、決済処理用の無線通信状態で顧客が表示画面を見て決済媒体を表示画面にかざし、決済媒体の情報を読み取り上記無線通信状態でなくなると店員が表示画面を見て所定の操作をする場合には、無線通信状態に応じて視認すべき利用者に表示画面が向かうように携帯端末を自動的に傾動させることができる。
【００１８】
請求項６の発明では、一側部が保持された携帯端末の操作部の少なくとも一部を覆うカバーが設けられるため、一側部が保持された状態の携帯端末が誤って操作されることを抑制することができる。
【００１９】
請求項７の発明では、読取口が係合する凹部が一側傾斜部に形成されるため、当該携帯端末用置台に対する携帯端末の位置決めが容易になるだけでなく、一側部が保持される携帯端末の表示画面が安定することから表示画面をより見やすくすることができる。
【図面の簡単な説明】
【００２０】
【図１】第１実施形態に係る携帯端末用置台に携帯端末を載置した状態を示す斜視図である。
【図２】第１実施形態に係る携帯端末用置台に携帯端末を載置した状態を示す側面図である。
【図３】図１の携帯端末の側面図である。
【図４】図１の携帯端末用置台の斜視図である。
【図５】第２実施形態に係る携帯端末用置台に携帯端末を載置した状態を示す斜視図である。
【図６】第２実施形態の変形例に係る携帯端末用置台に携帯端末を載置した状態を示す斜視図である。
【図７】第３実施形態に係る携帯端末用置台に携帯端末を載置した状態を示す側面図である。
【図８】第４実施形態に係る携帯端末用置台に携帯端末を載置した状態を示す側面図である。
【図９】第５実施形態に係る携帯端末用置台に携帯端末を載置した状態を示す側面図である。
【図１０】図９の携帯端末用置台の電気的構成を示すブロック図である。
【発明を実施するための形態】
【００２１】
［第１実施形態］
以下、本発明の携帯端末用置台を具現化した第１実施形態について、図面を参照して説明する。図１は、第１実施形態に係る携帯端末用置台１０に携帯端末１を載置した状態を示す斜視図である。図２は、第１実施形態に係る携帯端末用置台１０に携帯端末１を載置した状態を示す側面図である。図３は、図１の携帯端末１の側面図である。図４は、図１の携帯端末用置台１０の斜視図である。
【００２２】
図１および図２に示すように、本実施形態に係る携帯端末用置台１０は、携帯端末１を保持した状態で載置面Ｓ上に載置されることで、携帯端末１を据え置き型の端末として利用可能な置台である。この携帯端末用置台１０の保持対象である携帯端末１は、例えば、コンビニエンスストアなどの店舗にて商品管理や決済等に利用される端末として構成されている。
【００２３】
具体的には、携帯端末１は、情報コードを光学的に読み取る情報コードリーダとしての機能と、ＩＣカード等の決済媒体と非接触通信することで決済を処理する決済機能とを兼ね備えるように構成されている。このため、携帯端末１は、携帯端末用置台１０から取り外されて持ち運ばれる場合には、商品に付された情報コードを読み取る携帯型の情報コードリーダ等として運用され、携帯端末用置台１０に載置される場合には、決済媒体を利用した決済処理を行う決済用端末等として運用される。
【００２４】
図１〜図３に示すように、携帯端末１は、長手状の筐体２によりその外郭が構成されており、筐体２の内部に各種電子部品が収容されている。この筐体２の前側部２ａの下面には、情報コードからの反射光を筐体２内に入射させるための読取口３が突出するように形成されている。また、筐体２の前側部２ａの上面には、所定の情報が表示可能な液晶表示器等の表示画面４が配置されている。この表示画面４の下方には、決済媒体等と無線通信するためのアンテナ部５が内蔵されている。また、表示画面４から離れた筐体２の後側部２ｂの上面には、複数のキーからなる操作部６が配置されている。なお、前側部２ａは、「一側部」の一例に相当し、後側部２ｂは、「他側部」の一例に相当し得る。
【００２５】
このため、携帯端末１は、決済処理を開始するための操作が操作部６に対してなされることで決済処理可能な状態となる。具体的には、例えば、携帯端末１は、操作部６の操作により購入商品に表示されたバーコードが読み取られることで購入品情報を取得すると、決済処理モードに移行する。この決済処理モードでは、購入商品の商品名や価格等に加えて表示画面４に対してＩＣカード等をかざすように促す決済情報が表示画面４に表示され、表示画面４にかざされたＩＣカード等とアンテナ部５を介して非接触通信することでこのＩＣカード等を利用した決済処理が可能な状態となる。なお、決済処理時には、顧客は前側部２ａの方から表示画面４を見るので、顧客にとって表示画面４の表示内容を見やすくするために、決済情報が上下反転して表示画面４に表示される。
【００２６】
図４に示すように、携帯端末用置台１０は、前側ほど低くなるように上面が傾斜して形成されており、その上面の一部には、携帯端末１の前側部２ａを保持するための保持部１１が設けられている。この保持部１１には、前側ほど低くなるように傾斜する傾斜部１２が、前側部２ａを載置面Ｓに近づけた携帯端末１に対して表示画面４が設けられる面と反対側の面（以下、非表示面２ｃともいう）に下方から接触するように形成されている。なお、保持部１１は、「一側保持部」の一例に相当し、傾斜部１２は、「一側傾斜部」の一例に相当し得る。
【００２７】
また、傾斜部１２の前側には、当該保持部１１に保持された携帯端末１の読取口３が入り込んで係合する凹部１３が形成されている。また、携帯端末用置台１０の上面には、傾斜部１２を介して対向するように一対のガイド１４が設けられており、両ガイド１４は、保持部１１に保持された携帯端末１を左右から挟持するように配置されている。
【００２８】
次に、携帯端末１を、携帯端末用置台１０に載置することで据え置き型の決済用端末として運用する場合について、以下に説明する。
上述のように構成される携帯端末用置台１０は、顧客と店員とが向かい合うカウンターの載置面Ｓ上にて、保持部１１が顧客に向かうように載置されている。そして、このように載置される携帯端末用置台１０に対して、決済処理モードの携帯端末１を保持部１１にて保持させるように置く。このとき、携帯端末１は、非表示面２ｃにて傾斜部１２に接触した状態で左右から両ガイド１４により挟持されて読取口３が凹部１３に係合することで、携帯端末用置台１０に位置決めされる。
【００２９】
これにより、携帯端末１は、携帯端末用置台１０により、前側部２ａが下方となるように載置面Ｓに対して傾いて保持される。このとき、表示画面４は、携帯端末用置台１０の前側に立つ顧客に向かうように位置しており、上下反転された決済情報を表示している。そして、顧客が携帯端末１の表示画面４に対してＩＣカード等をかざすことで、アンテナ部５を介した非接触通信に応じて決済処理が実施される。
【００３０】
以上説明したように、本実施形態に係る携帯端末用置台１０では、携帯端末１のうち表示画面４が設けられる前側部２ａを保持する保持部１１には、前側部２ａを載置面Ｓに近づけた携帯端末１に対してその非表示面２ｃに接触することで、表示画面４が顧客に向かうように携帯端末１を載置面Ｓに対して傾斜させる傾斜部１２が形成される。
【００３１】
これにより、前側部２ａが保持部１１に保持されるように携帯端末１を携帯端末用置台１０に置くと、表示画面４が利用者に向かうように携帯端末１が載置面Ｓに対して傾斜するため、表示画面４が顧客に見やすくなるように携帯端末１を保持することができる。
【００３２】
特に、携帯端末１は、携帯端末用置台１０により、表示画面４が操作部６よりも顧客に近づくように保持されるので、顧客にとって、表示画面４を見やすくできるだけでなく、表示画面４にＩＣカード等をかざしやすくすることができる。
【００３３】
また、読取口３が係合する凹部１３が保持部１１に形成されるため、当該携帯端末用置台１０に対する携帯端末１の位置決めが容易になるだけでなく、前側部２ａが保持される携帯端末１の表示画面４が安定することから表示画面４をより見やすくすることができる。
【００３４】
［第２実施形態］
次に、本第２実施形態に係る携帯端末用置台について、図５を参照して説明する。図５は、第２実施形態に係る携帯端末用置台１０ａに携帯端末１を載置した状態を示す斜視図である。
本第２実施形態では、携帯端末１の操作部６を覆うカバー１５が新たに設けられる点が、上記第１実施形態に係る携帯端末用置台と主に異なる。したがって、第１実施形態の携帯端末用置台と実質的に同一の構成部分には、同一符号を付し、その説明を省略する。
【００３５】
図５に示すように、本実施形態に係る携帯端末用置台１０ａは、上述した携帯端末用置台１０に対して、保持部１１にて保持された携帯端末１の一部を覆うカバー１５を備えるように構成されている。このカバー１５は、携帯端末１が保持された保持部１１に上方から組み付けることで筐体２の後側部２ｂを覆うように形成されている。
【００３６】
このため、保持部１１に保持された携帯端末１の操作部６がカバー１５により覆われることで、携帯端末用置台１０ａに保持された状態の携帯端末１が顧客等により誤って操作されることを抑制することができる。
【００３７】
なお、カバー１５は、筐体２の後側部２ｂを覆うように形成されることに限らず、操作部６の一部のみを覆うように形成されてもよいし、表示画面４を除く筐体２の大部分を覆うように形成されてもよい。また、操作部６の少なくとも一部を覆うカバー１５の構成は、後述する他の実施形態に適用することができる。
【００３８】
図６は、第２実施形態の変形例に係る携帯端末用置台１０ｂに携帯端末１ａを載置した状態を示す斜視図である。
読取口３のような突出部がない携帯端末１ａを保持対象とする場合には、操作部６の少なくとも一部を覆うカバーは、保持部１１と一体に形成されてもよい。
【００３９】
具体的には、図６に示すように、携帯端末用置台１０ｂは、携帯端末１ａを覆って保持するためのカバー一体型の保持部１１ａを備えている。この保持部１１ａには、携帯端末１ａを挿入するための挿入穴１１ｂと、表示画面４を露出させるための開口１１ｃとが形成されている。
【００４０】
このようにしても、保持状態の携帯端末１ａの操作部６が覆われるため、携帯端末用置台１０ｂに保持された状態の携帯端末１ａが顧客等により誤って操作されることを抑制することができる。特に、表示画面４は開口１１ｃを介して露出しているため、顧客に対して決済情報を視認させるだけでなく、ＩＣカード等をかざす位置を明確にすることができる。
【００４１】
［第３実施形態］
次に、本第３実施形態に係る携帯端末用置台について、図７を参照して説明する。図７は、第３実施形態に係る携帯端末用置台１０ｃに携帯端末１を載置した状態を示す側面図である。
本第３実施形態では、二種類の保持部を有する点が、上記第１実施形態に係る携帯端末用置台と主に異なる。したがって、第１実施形態の携帯端末用置台と実質的に同一の構成部分には、同一符号を付し、その説明を省略する。
【００４２】
図７に示すように、本実施形態に係る携帯端末用置台１０ｃは、上述した携帯端末用置台１０に対して、保持部１１の後側に位置して携帯端末１の後側部２ｂを保持するための第２保持部２１をさらに備えるように構成されている。この第２保持部２１には、後側ほど低くなるように傾斜する第２傾斜部２２が、後側部２ｂを載置面Ｓに近づけた携帯端末１の非表示面２ｃに下方から接触するように形成されている。この第２傾斜部２２は、前側部２ａが保持部１１により保持された携帯端末１（図７の二点鎖線参照）の後側部２ｂの下方に位置するように配置されている。なお、第２保持部２１は、「他側保持部」の一例に相当し、第２傾斜部２２は、「他側傾斜部」の一例に相当し得る。
【００４３】
また、第２傾斜部２２の後側には、非表示面２ｃが第２傾斜部２２に接触している携帯端末１の後端面２ｄを下方から支持する支持部２３が形成されている。
【００４４】
次に、携帯端末１を、携帯端末用置台１０ｃに載置することで据え置き型の決済用端末として運用する場合について、以下に説明する。
ＩＣカード等を用いた決済処理を開始する場合には、上述のようにカウンターの載置面Ｓ上に載置される携帯端末用置台１０ｃに対して、決済処理モードの携帯端末１を保持部１１にて保持させるように置く。これにより、携帯端末１は、携帯端末用置台１０ｃにより、前側部２ａが下方となるように載置面Ｓに対して傾いて保持される。
【００４５】
一方、店員が携帯端末１を操作等する場合には、携帯端末用置台１０ｃに対して、携帯端末１を第２保持部２１にて保持させるように置く。これにより、携帯端末１は、携帯端末用置台１０ｃにより、後側部２ｂが下方となるように載置面Ｓに対して傾いて保持される。このとき、表示画面４は、携帯端末用置台１０ｃの後側に立つ店員に向かうように位置している。
【００４６】
これにより、携帯端末用置台１０ｃを介して対向する顧客および店員の２人の利用者がいる場合でも、携帯端末１を保持部１１にて保持することで顧客（一方の利用者）に対して表示画面４を見やすくし、携帯端末１を第２保持部２１にて保持することで店員（他方の利用者）に対して表示画面４を見やすくすることができる。
【００４７】
特に、第２傾斜部２２は、前側部２ａが保持部１１により保持された携帯端末１の後側部２ｂの下方に位置するように形成されている。このため、前側部２ａが保持部１１により保持された携帯端末１の後側部２ｂを上方から押すと、携帯端末１は、第２傾斜部２２の近くに位置する傾斜部１２の縁部１２ａを基準に、非表示面２ｃと第２傾斜部２２とが近づくように傾動する。これにより、携帯端末１の後側部２ｂを上方から押すだけで、保持部１１により保持された状態の携帯端末１を、第２保持部２１に保持される状態に切り替えることができる。
【００４８】
［第４実施形態］
次に、本第４実施形態に係る携帯端末用置台について、図８を参照して説明する。図８は、第４実施形態に係る携帯端末用置台１０ｄに携帯端末１を載置した状態を示す側面図であり、図８（Ａ）は、一側傾動状態を示し、図８（Ｂ）は、他側傾動状態を示す。
本第４実施形態では、可動式の保持部を有する点が、上記第１実施形態に係る携帯端末用置台と主に異なる。したがって、第１実施形態の携帯端末用置台と実質的に同一の構成部分には、同一符号を付し、その説明を省略する。
【００４９】
図８（Ａ）（Ｂ）に示すように、本実施形態に係る携帯端末用置台１０ｄは、載置面Ｓ上に載置される基台３１と、この基台３１の上端３１ａに回動可能に支持される傾動軸３３に固定される傾動保持部３２とを備えている。傾動保持部３２には、その上面に、携帯端末１における筐体２のうち非表示面２ｃ側に係合する凹部３２ａが形成されている。
【００５０】
そして、基台３１は、携帯端末１を凹部３２ａにて保持した傾動保持部３２を、前側部２ａが載置面Ｓに近づくように傾動軸３３を中心に傾動させることで表示画面４が顧客（一方の利用者）に向かう一側傾動状態と、前側部２ａが載置面Ｓから離れるように傾動軸３３を中心に傾動させることで表示画面４が店員（他方の利用者）に向かう他側傾動状態と、のいずれかに傾動可能に支持するように形成されている。
【００５１】
次に、携帯端末１を、携帯端末用置台１０ｄに載置することで据え置き型の決済用端末として運用する場合について、以下に説明する。
顧客がＩＣカード等を用いて支払う場合には、保持する携帯端末１が一側傾動状態となるように傾動軸３３を中心に傾動保持部３２を傾動させる（図８（Ａ）参照）。これにより、携帯端末１は、携帯端末用置台１０ｄにより、上記第３実施形態と同様に、前側部２ａが下方となるように載置面Ｓに対して傾いて保持される。
【００５２】
一方、店員が携帯端末１を操作等する場合には、保持する携帯端末１が他側傾動状態となるように傾動軸３３を中心に傾動保持部３２を傾動させる（図８（Ｂ）参照）。これにより、携帯端末１は、携帯端末用置台１０ｄにより、上記第３実施形態と同様に、後側部２ｂが下方となるように載置面Ｓに対して傾いて保持される。
【００５３】
これにより、携帯端末用置台１０ｄを介して対向する顧客および店員の２人の利用者がいる場合でも、保持する携帯端末１が一側傾動状態となるように傾動保持部３２を傾動させることで顧客に対して表示画面４を見やすくし、保持する携帯端末１が他側傾動状態となるように傾動保持部３２を傾動させることで店員に対して表示画面４を見やすくすることができる。
【００５４】
［第５実施形態］
次に、本第５実施形態に係る携帯端末用置台について、図９および図１０を参照して説明する。図９は、第５実施形態に係る携帯端末用置台１０ｅに携帯端末１を載置した状態を示す側面図であり、図９（Ａ）は、一側傾動状態を示し、図９（Ｂ）は、他側傾動状態を示す。図１０は、図９の携帯端末用置台１０ｅの電気的構成を示すブロック図である。
本第５実施形態では、自動的に保持部が傾動する点が、上記第４実施形態に係る携帯端末用置台と主に異なる。したがって、第４実施形態の携帯端末用置台と実質的に同一の構成部分には、同一符号を付し、その説明を省略する。
【００５５】
図９および図１０に示すように、携帯端末用置台１０ｅは、上述した基台３１および傾動保持部３２に加えて、モータ３４と、センサ３５と、制御部３６とを備えている。モータ３４は、傾動軸３３を回動させることで、傾動保持部３２を一側傾動状態および他側傾動状態のいずれかに傾動させる傾動手段として機能するものである。このモータ３４は、制御部３６により駆動制御されて、傾動軸３３を、傾動保持部３２が一側傾動状態となる回動位置（以下、一側回動位置ともいう）から傾動保持部３２が他側傾動状態となる回動位置（以下、他側回動位置ともいう）まで回動させるように構成されている。
【００５６】
センサ３５は、携帯端末１が決済処理モードであるか否かを検知する検知手段として機能するものである。このセンサ３５は、そのアンテナ部３５ａが傾動保持部３２に埋め込まれており、決済処理モード時にアンテナ部５を介して送信される所定の決済信号を検知すると、所定の検知信号を制御部３６に出力するように構成されている。
【００５７】
制御部３６は、携帯端末用置台１０ｅを構成する各種電子部品等を統括的に制御するマイクロコンピュータ等により構成されて、センサ３５からの検知信号の有無に応じてモータ３４を駆動制御する駆動制御手段として機能するものである。この制御部３６は、センサ３５から検知信号が入力されない場合には傾動軸３３が他側回動位置となるようにモータ３４を駆動制御し、センサ３５から検知信号が入力されると傾動軸３３が一側回動位置となるようにモータ３４を駆動制御する。
【００５８】
次に、携帯端末１を、携帯端末用置台１０ｅに載置することで据え置き型の決済用端末として運用する場合について、以下に説明する。
決済処理モードの携帯端末１が傾動保持部３２に保持されない通常の状態ではセンサ３５から検知信号が制御部３６に入力されないことから、傾動軸３３が他側回動位置に位置しているため、傾動保持部３２は他側傾動状態を維持している（図９（Ｂ）参照）。
【００５９】
そして、ＩＣカード等を用いた決済処理を開始する場合には、携帯端末１を他側傾動状態の傾動保持部３２に保持させた後に操作部６を操作することで、携帯端末１が決済処理モードに移行する。そうすると、アンテナ部５からの決済信号がセンサ３５により検知されて検知信号が制御部３６に入力され、制御部３６により駆動制御されたモータ３４が傾動軸３３を一側回動位置まで回動させる。これにより、傾動保持部３２が一側傾動状態となり、傾動保持部３２により保持された携帯端末１は、前側部２ａが下方となるように載置面Ｓに対して傾いて保持される（図９（Ａ）参照）。このように、顧客によりＩＣカード等が表示画面４にかざされる場合には、顧客に対して表示画面４が向かうように携帯端末１が自動的に傾動する。
【００６０】
そして、顧客がＩＣカード等を表示画面４にかざすことで決済処理が完了し決済信号の送信が停止する。そうすると、センサ３５から検知信号が制御部３６に入力されなくなるため、制御部３６により駆動制御されたモータ３４が傾動軸３３を他側回動位置まで回動させる。これにより、傾動保持部３２が他側傾動状態となり、傾動保持部３２により保持された携帯端末１は、後側部２ｂが下方となるように載置面Ｓに対して傾いて保持される（図９（Ｂ）参照）。このように、顧客に表示画面４を向ける必要がない場合には、店員に対して表示画面４が向かうように携帯端末１が自動的に傾動する。
【００６１】
以上説明したように、本実施形態に係る携帯端末用置台１０ｅでは、センサ３５により携帯端末１が決済処理モードであると検知されると傾動保持部３２が一側傾動状態となるようにモータ３４が制御部３６により駆動制御され、センサ３５により携帯端末１が決済処理モードでないと検知されると傾動保持部３２が他側傾動状態となるようにモータ３４が制御部３６により駆動制御される。
【００６２】
これにより、携帯端末１が決済処理モードであるか否かに応じて視認すべき利用者に対して表示画面４が向かうように、携帯端末１を自動的に傾動させることができる。
【００６３】
なお、傾動軸３３を一側回動位置および他側回動位置のいずれかに回動させる傾動手段として、上述したモータ３４が採用されることに限らず、他のアクチュエータ等が採用されてもよい。
【００６４】
また、携帯端末１が決済処理モードであることがセンサ３５により検知された場合に、傾動軸３３を一側回動位置まで回動させることに限らず、携帯端末１が特定の無線通信状態であるとセンサ３５等により検知された場合に、傾動軸３３を一側回動位置まで回動させてもよい。
【００６５】
なお、本発明は上記各実施形態および変形例に限定されるものではなく、例えば、以下のように具体化してもよい。
（１）上述した携帯端末用置台１０，１０ａ〜１０ｅは、情報コードリーダとしての機能と決済機能との双方を兼ね備えた携帯端末１を保持対象とすることに限らず、例えば、いずれか一方の機能を備える携帯端末など、表示画面が一側部に設けられる携帯端末であれば保持対象とするように構成することができる。
【００６６】
（２）上述した携帯端末用置台１０，１０ａ〜１０ｅは、顧客と店員とが向かい合う店舗のカウンター上に載置されて利用されることに限らず、当該携帯端末用置台を介して対向する２人の利用者がいる載置面Ｓ上に載置されて利用されてもよい。
【符号の説明】
【００６７】
１，１ａ…携帯端末
２…筐体  ２ａ…前側部（一側部）  ２ｂ…後側部（他側部）  ２ｃ…非表示面
３…読取口  ４…表示画面  ５…アンテナ部  ６…操作部
１０，１０ａ〜１０ｅ…携帯端末用置台
１１…保持部（一側保持部）  １２…傾斜部（一側傾斜部）
１５…カバー
２１…第２保持部（他側保持部）  ２２…第２傾斜部（他側傾斜部）
３１…基台  ３２…傾動保持部  ３３…傾動軸
３４…モータ（傾動手段）  ３５…センサ（検知手段）
３６…制御部（駆動制御手段）
Ｓ…載置面
【図１】
2015073201.tif 000003
【図２】
2015073201.tif 000004
【図３】
2015073201.tif 000005
【図４】
2015073201.tif 000006
【図５】
2015073201.tif 000007
【図６】
2015073201.tif 000008
【図７】
2015073201.tif 000009
【図８】
2015073201.tif 000010
【図９】
2015073201.tif 000011
【図１０】
2015073201.tif 000012